(57)【要約】【課題】正六角柱状の金属素片が有するフィールド変換機能をより直接的に人や脊椎動物に作用させることが出来る健康器具を提供する。【解決手段】人乃至脊椎動物いずれかの身体の任意部位に装着される装着部材であるゴム紐５１に、正六角形状の表面と底面を有し、断面が円形で前記表面と前記底面を貫通する穴を有する、正六角柱状の素片１を取付けた健康器具であって、前記素片１は、ＳＵＳ３０４ステンレススチールなどの材質からなり、前記穴の内周面に螺旋溝を有し、かつ、前記素片は加熱処理を施したものである人乃至脊椎動物いずれかの健康器具である。【選択図】  図２
2004329378.tif 000002
【特許請求の範囲】
【請求項１】
人乃至脊椎動物いずれかの身体の任意部位に装着される装着部材に、正六角形状の表面と底面を有し、断面が円形で前記表面と前記底面を貫通する穴を有する、正六角柱状の素片を取付けた健康器具であって、
前記素片は、前記穴の内周面に螺旋溝を有し、かつ、オーステナイト系ステンレス鋼、マルテンサイト系ステンレス鋼、白金、金、銀、チタン、ダイヤモンドからなる群より選ばれる材質からなり、かつ、前記素片は加熱処理を施したものである人乃至脊椎動物いずれかの健康器具。
【請求項２】
前記装着部材は線状部材であり、前記素片の前記穴に前記線状部材を挿通し、略円環状としたことを特徴とする請求項１記載の健康器具。
【請求項３】
前記装着部材は粘着面を有する薄葉体であり、前記粘着面の一部に前記素片を貼付けた請求項１記載の健康器具。
【請求項４】
前記装着部材は二重の薄葉体であり、前記二重の薄葉体の間にに前記素片を略固定した請求項１記載の健康器具。
【請求項５】
前記健康器具が装身具である請求項１乃至４いずれか記載の健康器具。
【請求項６】
尖端部を持つ中空金属体の中空部分に、正六角形状の表面と底面を有し、断面が円形で前記表面と前記底面を貫通する穴を有する、正六角柱状の素片を収納した健康器具であって、
前記素片は、前記穴の内周面に螺旋溝を有し、かつ、オーステナイト系ステンレス鋼、マルテンサイト系ステンレス鋼、白金、金、銀、チタン、ダイヤモンドからなる群より選ばれる材質からなり、かつ、前記素片は加熱処理を施したものである、人体のつぼ押し用具である健康器具。
【請求項７】
前記素片の材質が、ＳＵＳ３０４ステンレススチールであることを特徴とする請求項１乃至６いずれか記載の健康器具。
【発明の詳細な説明】
【０００１】
【発明の属する技術分野】
本発明は、人乃至脊椎動物の身体の任意部位に装着して使用する健康器具及び人のつぼ押し用具である健康器具に関するものであり、より詳しくは身体に装着し、筋肉疲労、肩こり等の回復、軽減や精神安定に寄与する健康増進器具及びつぼ押し用具に関するものである。
【０００２】
【背景技術】
磁石やトルマリン鉱石を利用したネックレス、ブレスレット等の健康器具、装身具が知られている。
【０００３】
一方、発明者は金属素片が有するフィールド変換機能に着目し、フィールド変換器や水処理装置の開発を行っている。ここでフィールド変換器とは、これが置かれる周辺空間に作用して、その空間を人や動植物に好適な状態に変化させる装置をいう。フィールド変換器の作用機構は、「波動」「気」「宇宙のエネルギー」等の観点から解明が試みられているが、現在の科学の知識では未だ十分な解明がなされていない。
【０００４】
発明者は、金属素片が有するフィールド変換機能をより直接的に人や脊椎動物に作用させる健康器具の発明に至った。
【０００５】
【発明の開示】
請求項１にかかる発明は、人乃至脊椎動物いずれかの身体の任意部位に装着される装着部材に、正六角形状の表面と底面を有し、断面が円形で前記表面と前記底面を貫通する穴を有する、正六角柱状の素片を取付けた健康器具であって、前記素片は、前記穴の内周面に螺旋溝を有し、かつ、オーステナイト系ステンレス鋼、マルテンサイト系ステンレス鋼、白金、金、銀、チタン、ダイヤモンドからなる群より選ばれる材質からなり、かつ、前記素片は加熱処理を施したものである人乃至脊椎動物いずれかの健康器具である。
【０００６】
請求項２にかかる発明は、前記装着部材は線状部材であり、前記素片の前記穴に前記線状部材を挿通し、略円環状としたことを特徴とする請求項１記載の健康器具である。
本発明において、線状部材とは糸、紐、針金、棒状体を含む。また、線状部材の断面形状は円、楕円、三角、四角（例えば正方形、長方形など）、多角形（例えば正六角形、不等辺六角形、八角形など）など、角を落とした三角形、四角形、多角形などを含む。
【０００７】
請求項３にかかる発明は、前記装着部材は粘着面を有する薄葉体であり、前記粘着面の一部に前記素片を貼付けた請求項１記載の健康器具である。
本発明において、薄葉体とは、布織物、不織布、合成樹脂フィルム、伸縮性のある布織物、天然皮革、合成皮革など含むものである。
【０００８】
請求項４にかかる発明は、前記装着部材は二重の薄葉体であり、前記二重の薄葉体の間に前記素片を略固定した請求項１記載の健康器具である。
本発明において、薄葉体とは、布織物、不織布、合成樹脂フィルム、伸縮性のある布織物、天然皮革、合成皮革など含むものである。
【０００９】
請求項５にかかる発明は、前記健康器具が装身具である請求項１乃至４いずれか記載の健康器具である。
本発明において、装身具とは、ネックレス、バングル、指輪、ペンダント、イヤリング、腕時計のバンド、ズボンのベルト、飾りベルト、帽子、履物、メダル、バッジなど、さらには愛玩動物や家畜の首輪、鼻輪、蹄鉄などを含むものである。
【００１０】
請求項６にかかる発明は、尖端部を持つ中空金属体の中空部分に、正六角形状の表面と底面を有し、断面が円形で前記表面と前記底面を貫通する穴を有する、正六角柱状の素片を収納した健康器具であって、前記素片は、前記穴の内周面に螺旋溝を有し、かつ、オーステナイト系ステンレス鋼、マルテンサイト系ステンレス鋼、白金、金、銀、チタン、ダイヤモンドからなる群より選ばれる材質からなり、かつ、前記素片は加熱処理を施したものである、人体のつぼ押し用具である健康器具である。
中空金属体の材質は、特に制限はなく任意の材質を使用することが出来る。例えば、オーステナイト系ステンレス鋼、マルテンサイト系ステンレス鋼、チタン、鉄、アルミニウム、銅、黄銅などが挙げられる。また、これらに任意の材質のめっき、塗装などの処理をしても良く、また、これらの表面に合成樹脂の皮膜を形成したものでも良い。
中空金属体は、板状の金属で形成することが出来、また、塊状の金属をくりぬいて中空部分を形成することも出来る。
尖端部は皮膚を傷つけることなく、また、適度の力が集中するように丸みを帯びた形にする。
本発明において、つぼとは指圧治療を行う人体表皮上の部分であり、経穴とも呼ばれる部分である。また、つぼには畦穴を含むものである。
【００１１】
請求項７にかかる発明は、前記素片の材質が、ＳＵＳ３０４ステンレススチールであることを特徴とする請求項１乃至６いずれか記載の健康器具である。この素片は入手が容易で、健康器具を安価に製造できる。
【００１２】
【発明の実施の形態】
以下に実施例により、本発明にかかる健康器具及び装身具を説明する。この発明の実施例に記載されている部材や部分の寸法、材質、形状、その相対位置などは、とくに特定的な記載のない限りは、この発明の範囲をそれらのみに限定する趣旨のものではなく、単なる説明例にすぎない。
【００１３】
第１図を参照して本発明の健康器具に用いる素片を説明する。
（ａ）は素片の表面図であり、（ｂ）は素片の正面図である。素片１は六角ナットと等しい形状である。すなわち、素片１の外形形状は正六角柱であり、表面２と底面３は正六角形である。素片１の表面２と底面３は面取り（表面または底面と側面の作る角を薄く削り丸みを付ける）を行ってもよく、また面取りを行わなくてもよい。素片１が直接肌に接する健康器具（例えば、バングル、貼付け具など）に使用する場合には、素片１は面取りを行うことが好ましい。第１図には面取りを行った素片の形状を図示している。
【００１４】
素片１は表面２と底面３を貫通する断面円形の穴４を持つ。この穴は円柱状であってもよく、また、偏平な円柱状であってもよい。ここで、偏平な円柱とは、両端面（すなわち、素片の表面と底面）が平行であるが、両端面と中心軸は直交しない円柱をいう。好ましいものは、円柱状の穴である。
また、穴は正六角形の中心に空けられていてもよく、偏心して空けられていてよい。好ましいものは、中心に空けられた穴である。また、穴４の内周面には螺旋溝５が刻まれている。６と８は、素片１の中心点の投影点である。
【００１５】
素片１の材質は、オーステナイト系ステンレス鋼、マルテンサイト系ステンレス鋼、白金、金、銀、チタン、または、ダイヤモンドから選ばれる。ここで、オーステナイト系ステンレス鋼とは、鉄７２％、ニッケル８％、クロム１８％とその他の金属元素の合金であり、ＳＵＳ３０４、ＳＵＳ３１６、ＳＵＳ３０３、ＳＵＳ３０１、ＳＵＳ３０２、ＳＵＳ２０１等が含まれる。マルテンサイト系ステンレス鋼とは、鉄８５％、クロム１３％とその他の金属元素の合金であり、ＳＵＳ４１０、ＳＵＳ４１６、ＳＵＳ４２０Ｊ２等が含まれる。ダイヤモンドには天然ダイヤモンド、合成ダイヤモンドが含まれる。
安価に入手できることから、素片１の材質は、オーステナイト系ステンレス鋼、マルテンサイト系ステンレス鋼、チタンが好ましく、オーステナイト系ステンレス鋼がより好ましく、その中でもＳＵＳ３０４が最も好ましい。
【００１６】
素片１は、加熱処理によりフィールド変換能力を獲得する。素片１の加熱処理の温度は、通常８００℃以上、好ましくは９００℃〜１５００℃、より好ましくは１０００℃〜１２００℃である。ただし、加熱処理は、素片１の材料の融点以下の温度で行う。
加熱処理の時間は、通常５分以上、好ましくは１０分以上、より好ましくは１０分から１２０分、さらに好ましくは３０分〜９０分である。
加熱処理の温度と時間の組合せは、温度を１０００℃〜１２００℃とし、加熱時間を３０分〜９０分とするのが好ましい。
加熱後の冷却時間は特に制限はなく、自然放冷することができる。ステンレス鋼の場合には、加熱処理後のパシペート処理をしてもよく、しなくてもよい。
【００１７】
素片１の大きさに制限は無いが、正六角形の一辺（第１図中のｌ）が、通常は１０ｍｍ以下であり、好ましくは６ｍｍ以下、より好ましくは５ｍｍ以下である。下限についても制限はない。加工の容易性の観点からは、一辺が０．１ｍｍ以上であると好ましい。さらに、線状部材を穴に通す細工の観点からは、一辺が、１ｍｍ以上の素片を使用して、バングル、ネックレスなどを作成することが好ましい。また、素片１の高さ（第１図中のｈ）に特に制限はないが、通常高さｈは、正六角形の一辺の長さ（第１図中のｌ）以下、好ましくはｌ×０．８５以下である。
【００１８】
素片１の貫通穴の内周面に刻まれる螺旋溝は、１周以上であれば、溝の周回数に制限は無い。また、溝の深さについても特に制限はない。
溝の形状はネジ山の形状で表現される。三角ネジまたは台形ネジ形状の溝を用いることができる。ここで、三角ネジにはネジ山の角度が６０度、５５度等の形状が含まれる。経済性、入手容易性から三角ネジが好ましい。
加熱処理をした素片１はそのまま健康器具に使用することが出来るし、また、めっき、塗装、表面を合成樹脂皮膜で覆うなどの処理を行った後に、健康器具に使用することが出来る。前記処理を行った素片を使用した健康器具は、より広範囲の人の趣味感に訴えることが出来るので、装身具としての価値が向上する効果がある。
【００１９】
図２はバングル（バングルとはブレスレットやアンクレットすなわち腕輪、足輪を意味する）の説明図である。
バングル２１は複数の素片１の穴４に、装着部材であるゴム紐５１を通し、ゴム紐５１の両端を接続したものである。ゴム紐５１は複数の細い線状ゴム部材を繊維糸で束ねたものであり、衣類用に市販されているものを使用した。素片１は、外形が正六角柱状であり、一辺の長さ（ｌ）３ｍｍ、高さ（ｈ）２．４ｍｍ、穴の直径３ｍｍである。穴は正六角柱の中心に円柱状に空けられている。穴の内周面の螺旋溝はメートル並目ネジである。素片１の材質はＳＵＳ３０４である。この素片を加熱処理・冷却後にバングル２１に形成した。
【００２０】
図３は他のバングルの説明図である。バングル２２は複数の素片１の穴４に、装着部材である線状弾性部材５２を通し、両端部を近接させ略円環状にして巻回リング状にしたものである。両端部には抜止め部材５３を付けている。抜止め部材５３は合成樹脂、硝子、金属などで作られる。線状弾性部材５２は、室温において超弾性性質を示す特性を付与した金属合金線（例えば、ニッケルチタン超弾性合金線）、合成樹脂（例えばウレタンゴム）などバングル材料として公知の部材を使用することが出来る。素片１は、バングル２１に使用した素片と同一である。
抜止め部材５３の両先端部分は、オーバーラップさせてもよく、接触していてもよく、また、距離を置いて対面していてもよい。
【００２１】
本発明の健康器具は、また、素片１の穴４に紐を通し、紐の両端部に接続留め具を付けたネックレスやバングルであってもよい。
単一のバングルやネックレスに使用する素片の数は１以上であればよい。健康増進の効果を高めるためには、複数の素片を使用することが好ましい。複数の素片は同じ大きさであってもよく、また、異なる大きさであってもよい。さらに素片と共に、単数又は複数の宝石、電気石、硝子片を使用して、装身具としての美観を高めることもできる。
さらに、ネックレスやバングルは、一重の円環状であってもよく、二重以上の円環状であってもよい。
【００２２】
図４は、健康器具である貼付け具の一例を示す斜視図である。
貼付け具３１は薄葉体である布５４と素片１から構成される。布５４は一面が粘着面５５であり、粘着面５５に素片１を貼付けている。素片１はバングル２１に使用した素片と同一である。素片が貼付けられていない粘着面５５は身体部位への貼付け剤として作用する。
布５４に貼付ける素片１は図示したように複数でも良く、また単数でも良い。健康増進の効果を高めるためには、複数の素片を使用することが好ましい。複数の素片を貼付ける場合には、７個、１９個の素片を使用し、最外周に位置する素片の中心８が正六角形を形成するように配置することが特に好ましい。この外周に置かれた素片１の中心を結ぶ線が正六角形を形成する配置は、素片１のフィールド変換能力を最も集中・強化出来る配置である。
さらに、素片の側面を互いに接して配置することが好ましい。布５４の全面積中で、より広い面積の粘着面５５を身体部位への貼付け面として使用することが出来るし、また、素片を近接させることにより、素片１の持つフィールド変換能力がより小さい領域に集中されるからである。
粘着剤は、傷テープ、絆創膏などに使用されるアクリル系、ゴム系などの公知の粘着剤を使用することができる。
薄葉体の形状は、正方形、四角形、正六角形、丸形、楕円形、不定形など任意の形状にすることができる。
【００２３】
図５は腰バンドの一部切欠き斜視図である。腰バンド４１は二枚の薄葉体である布６１と素片１から構成される。二枚の布６１を縫い線６２で縫い、その結果出来た袋状部分に複数の素片１を入れた後に開口部を縫い合わせ、素片１を略固定している。素片１は外形が正六角柱状であり、一辺の長さ（ｌ）４ｍｍ、高さ（ｈ）３．１ｍｍ、穴の直径４ｍｍである。穴は正六角柱の中心に円柱状に空けられている。穴の内周面の螺旋溝はメートル並目ネジである。素片１の材質はＳＵＳ３０４である。この素片を加熱処理・冷却後に腰バンド４１に使用した。
腰バンド４１の両端部には、身体に装着するための面ファスナー６３を取付けてある。
腰バンド４１と同様にして、肩や膝などを覆うサポーターを作ることができる。腰バンド、サポーターは、本発明にいう健康器具に含まれる。
【００２４】
図６は健康器具の人体への装着個所を示す説明図である。
２１１はバングル２１を手首に装着したもの、２２１はバングル２２を足首に装着したもの、２３１はネックレスを首に装着したもの、２４１は円環状の健康器具を上腕部に装着したもの、２４２は円環状の健康器具を大腿部に装着したもの、２４３は円環状の健康器具を男性器に装着したものである。３１１は貼付け具３１を肩に貼付けたもの、３１２は貼付け具３１を背中に貼付けたものである。
【００２５】
本発明にかかる健康器具は、人体のみならず、ペット（犬、猫など）や家畜（豚、牛、鶏など）の健康器具として使用することができる。
図７は豚に健康器具を装着する一例を示す説明図である。２３２はネックレスを豚の首につけたもの、２４４は円環状の健康器具を前足首に装着したものである。
本発明にかかる健康器具をペット動物や家畜に装着すれば、ストレスの軽減が期待される。ひいては、犬の精神安定による吼え声の減少、家畜が噛み合う怪我に起因しての細菌感染の減少、飼料の喰いがよくなって肥育日数の減少、などの効果が期待される。
【００２６】
図８は、つぼ押し用具の説明図である。
つぼ押し用具７１は、六角柱の一方端部に六角錐を付けた形状のＳＵＳ３０４ステンレススチール容器７７に、複数の素片１を充填した内ケース７２を収納したものである。容器７７はその外形のみを１点鎖線で図示し、また内ケース７２を一部切欠き状態で図示している。内ケース７２は正六角柱状の中空の容器であり、７３は内ケースの底板、７５は内ケースの上板である。
複数の素片１は、外形が正六角柱状であり、一辺の長さ（ｌ）３ｍｍ、高さ（ｈ）２．４ｍｍ、穴の直径３ｍｍである。穴は正六角柱の中心に円柱状に空けられている。穴の内周面の螺旋溝はメートル並目ネジである。素片１の材質はＳＵＳ３０４である。この素片を加熱処理・冷却後に内ケース７２の中に配列した。
【００２７】
内ケース７２、底板７３、上板７５はＳＵＳ３０４の薄い板から作られている。底板７３と上板７５は直径３ｍｍの貫通穴を多数空けてある。上板７５の貫通穴は一部省略して図示している。
底板７３は周辺部分７４を折り曲げてあり、この部分を一部溶接して内ケース７２の底面部分に固定されている。底板７４の上に、１９個の素片１を外周に置かれた素片１の中心８を結ぶ線が正六角形を形成するように配列している。この外周に置かれた素片１の中心を結ぶ線が正六角形を形成する配置は素片１のフィールド変換能力を最も集中・強化出来る配置である。この１９個が一段であり、これを９段積重ねている。（第２段から第９段は図示していない。）素片１の総数は１７１個である。
【００２８】
上板７５は周辺部分７６を折り曲げてあり、この部分を一部溶接して内ケース７２の上面部分に固定されている。内ケース７２の外形寸法は正六角柱の一辺長さが１５ｍｍ、高さ３１ｍｍ、上板７５と底板７３の間隔は２２ｍｍである。内ケース側板、底板７３と上板７５に挟まれて素片１の移動は制限され、上記の配列を保持している。
この内ケース７２を容器７７の中に収納し、つぼ押し用具７１が完成する。尖端部７８はつぼ押し用途に適した大きさの丸みを帯びた形状である。つぼ押し用具７１は尖端部７８を人体のつぼに当て、適宜の力で押付けて使用する。本つぼ押し用具は、単なる圧迫力だけでなく、素片１の有するフィールド変換能力が尖端部７８に集中されていて、このフィールド変換能が人体に好影響を与える。
【００２９】
本実施例では、１７１個の素片を中空容器に入れてつぼ押し用具としたが、単一のつぼ押し用具の中には１以上の素片が収納されていればよい。
また、容器７７の外形は、図示のごとく六角柱と六角錐の結合形状、円柱と円錐の結合形状、八角柱と八角錐の結合形状など、尖端部を有するものであれば、残余の部分は、任意の形状にすることが出来る。
【００３０】
（試験観察例）
１．女性（年齢６７歳）
１０年前に脳内出血で倒れた後、左半身のしびれに悩み続けていた。また、慢性の肩こりがあった。バングル２１を手首に装着したところ、３０分程度経過後からしびれが消失した。また、バングルの装着を継続したところ、肩こりが解消した。
２．女性（年齢６５歳）
出産後約４０年間左手のしびれが続いていた。バングル２１を手首に装着したところ、１時間程度経過後からしびれが消失した。
３．女性（年齢６４歳）
慢性の頭痛、耳鳴り、不眠があった。バングル２１を手首に装着したところ、１日経過後から深い眠りにつくことが出来、頭痛、耳鳴りも解消した。
【００３１】
４．男性、女性（合計６名）
コンピュータ作業を続けると、眼精疲労、肩こり、腕の疲れなどがあった。バングル２１を手首に装着したところ、これらの症状が軽減した。
５．男性（年齢５１歳）
上腕部に痛みを感じて患部に単数の素片を貼付けた貼付け具を貼り、そのまま１晩経過後に、痛みが消失した。同様な痛みの消失は複数回観察された。
【００３２】
【発明の効果】
本発明にかかる健康器具は、正六角柱状素片が身体に直接接し、または身体の近接位置に位置するので、素片のもつフィールド変換機能を有効に利用することが出来る。
本健康器具を装着すると筋肉疲労、肩こり等が回復、軽減し、またストレスが軽減し、精神が安定するなどの効能がある。
【図面の簡単な説明】
【図１】本発明の健康器具に用いる素片の図である。
【図２】バングルの斜視図である。
【図３】他のバングルの斜視図である。
【図４】貼付け具の斜視図である。
【図５】腰バンドの一部切欠き斜視図である。
【図６】健康器具の人体への装着個所を示す説明図である。
【図７】健康器具の豚への装着個所を示す説明図である。
【図８】つぼ押し用具の説明図である。
【符号の説明】
１  素片
４  穴
５  螺旋溝
２１  バングル
２２  バングル
３１  貼付け具
４１  腰バンド
５１  ゴム紐
５２  線状弾性部材
５４  薄葉体である布
５５  粘着面
６１、６２  薄葉体である布
７１  つぼ押し用具
７２  内ケース
７７  容器
７８  尖端部
【図１】
2004329378.tif 000003
【図２】
2004329378.tif 000004
【図３】
2004329378.tif 000005
【図４】
2004329378.tif 000006
【図５】
2004329378.tif 000007
【図６】
2004329378.tif 000008
【図７】
2004329378.tif 000009
【図８】
2004329378.tif 000010